(57)【要約】【課題】登録された住人やペット等に対しては作動せず、それ以外の不審者にのみ作動するセキュリティシステムを提供すること。【解決手段】物体の動きを感知して物体感知信号を発信するセンサ１と、このセンサ１からの物体感知信号を受信して警報信号を発信する制御部３とを有するセキュリティシステムにおいて、ＩＣタグ５に記憶された固有のＩＤ番号を読み取るタグリーダ２をセンサ１の近傍に配置するとともに、制御部３に特定のＩＤ番号を登録し、制御部３が、タグリーダ２で読み取ったＩＤ番号を受信し、かつ、受信したＩＤ番号が登録されたＩＤ番号と一致する場合には、警報信号を発信しないようにした【選択図】図１
2005284370.tif 000002
【特許請求の範囲】
【請求項１】
物体の動きを感知して物体感知信号を発信するセンサと、このセンサからの物体感知信号を受信して警報信号を発信する制御部とを有するセキュリティシステムにおいて、
ＩＣタグに記憶された固有のＩＤ番号を読み取るタグリーダを前記センサの近傍に配置するとともに、前記制御部に特定のＩＤ番号を登録し、
前記制御部が、前記タグリーダで読み取ったＩＤ番号を受信し、かつ、受信したＩＤ番号が登録されたＩＤ番号と一致する場合には、前記警報信号を発信しないことを特徴とするセキュリティシステム。
【発明の詳細な説明】
【技術分野】
【０００１】
本発明は、物体の動きを感知するセンサにより不審者の侵入を検知するセキュリティシステムに関する。
【背景技術】
【０００２】
近年、治安の悪化もあってセキュリティシステムの普及が進んでおり、例えば特許文献１には、人感センサを用いたセキュリティシステムが開示されている。
【０００３】
ところが、人感センサでは、不審者以外の住人あるいは犬や猫などのペット等も感知して警報を発してしまうという問題がある。これに対して上記特許文献１のセキュリティシステムでは、人感センサを部屋の低い位置に設置するとともに、人感センサの下側をシャドウマスクで覆うことによって設置高さ以下のペット等を感知しないようにして、ペット等による誤報を防止するようにしている。
【０００４】
しかし、上記特許文献１のセキュリティシステムでは、ペット等の背丈に合わせて人感センサの設置高さやシャドウマスクの位置を調整する必要がある。また、人感センサの設置高さ等を適正に調整したとしても、ペット等の動きによっては人感センサによって感知されることがあり、ペット等による誤報を無くすことはできない。
【０００５】
さらに、上記特許文献１のセキュリティシステムでは、不審者以外の住人による誤報発生に対しては何ら考慮されておらず、不審者以外の住人やペット等による誤報発生を無くすためにはセキュリティシステムの運転を停止するしかない。そうすると、セキュリティシステムを設置する意味がなくなってしまう。
【特許文献１】特開平１１−３１２８６号公報
【発明の開示】
【発明が解決しようとする課題】
【０００６】
本発明が解決しようとする課題は、登録された住人やペット等に対しては作動せず、それ以外の不審者にのみ作動するセキュリティシステムを提供することにある。
【課題を解決するための手段】
【０００７】
上記課題を解決するため、本発明では、固有のＩＤ番号を記憶したＩＣタグを住人やペット等に携行させ、このＩＣタグを携行した住人やペット等に対しては作動しないようにした。
【０００８】
すなわち、本発明は、物体の動きを感知して物体感知信号を発信するセンサと、このセンサからの物体感知信号を受信して警報信号を発信する制御部とを有するセキュリティシステムにおいて、ＩＣタグに記憶された固有のＩＤ番号を読み取るタグリーダを前記センサの近傍に配置するとともに、前記制御部に特定のＩＤ番号を登録し、前記制御部が、前記タグリーダで読み取ったＩＤ番号を受信し、かつ、受信したＩＤ番号が登録されたＩＤ番号と一致する場合には、前記警報信号を発信しないようにしたことを特徴とする。
【発明の効果】
【０００９】
本発明によれば、ＩＤ番号の登録されたＩＣタグを携行した住人やペット等に対しては警報信号を発生しないので、誤報発生が無くなり不審者のみを感知することができる。
【００１０】
したがって、誤報発生防止のため運転を停止する必要がなく、２４時間連続運転できるのでセキュリティ性が向上する。
【発明を実施するための最良の形態】
【００１１】
以下、図面に示す実施例に基づき本発明の実施の形態を説明する。
【実施例１】
【００１２】
図１は、本発明のセキュリティシステムの第１実施例を示す説明図である。本実施例は、本発明のセキュリティシステムを屋外（玄関口）に適用したものである。
【００１３】
図１において、玄関ドア６の近傍に人感センサ１が設置され、人感センサ１の近傍にタグリーダ２が配置されている。制御部３は、人感センサ１及びタグリーダ２からの信号を受け取り、後述するように不審者に対してのみ警報信号を発する。警報信号は通報部４に伝達され、それを受けて通報部４はセキュリィ会社のポストコンピュータに通報（信号送信）したり、不審者威嚇のため警報音を発したりする。
【００１４】
また、本発明のセキュリティシステムでは、住人Ａやペットには、それぞれ固有のＩＤ番号を記憶したＩＣタグ５を携行させる。それぞれのＩＣタグ５のＩＤ番号については、予めそれぞれのＩＣタグ５をタグリーダ２によって読み取ることによって、制御部３のＩＤ番号登録部３ａに登録する。
【００１５】
ＩＣタグ５としては、一般的なＲＦ−ＩＤタグと使用できる。また、タグリーダ２は、ＩＣタグ５から発信される電波を受信可能なものであれば如何なるものであっても良い。
【００１６】
図２は、本発明のセキュリティシステムの動作を示すフロー図である。以下、図１及び図２を参照して本発明のセキュリティシステムの動作を説明する。
【００１７】
まず、人感センサ１が物体を感知すると、物体感知信号が制御部３に送信される。次に、制御部３はタグリーダ２を呼び出し、タグリーダ２で読み取ったＩＣタグ５のＩＤ番号を受信する。そして、制御部３は、タグリーダ２から受信したＩＤ番号とＩＤ番号登録部３ａに登録されているＩＤ番号を照合し、タグリーダ２から受信したＩＤ番号がＩＤ番号登録部３ａに登録されていれば警報信号を発信しない。
【００１８】
これに対して、図３に示すようにＩＣタグを携行していない不審者Ｂが侵入してきた場合、制御部３は、タグリーダ２からのＩＤ番号を受信しないので、登録されているＩＤ番号ではないと見なして警報信号を発信する。また、不審者ＢがＩＣタグを携行していたとしても、そのＩＤ番号がＩＤ番号登録部３ａに登録されているＩＤ番号でなければ、制御部３は警報信号を発信する。このようにして、本発明のセキュリティシステムは、ＩＤ番号の登録されていない不審者のみに対して警報を発する。
【実施例２】
【００１９】
図４は、本発明のセキュリティシステムの第２実施例を示す説明図である。本実施例は、本発明のセキュリティシステムを屋内に適用したものである。図４において、図１と同一の構成には同一の符号を付し、その説明を省略する。
【００２０】
図４に示すように、住人Ａ及びペットＣには、それぞれ固有のＩＤ番号を記憶したＩＣタグ５を携行させている。各ＩＣタグ５のＩＤ番号は、第１実施例と同様に、予め制御部３のＩＤ番号登録部３ａに登録されている。したがって、人感センサ１が住人ＡやペットＣを感知したとしても、制御部３が警報信号を発することはない。これに対して、図５に示すようにＩＣタグを携行していない不審者Ｂが窓７等を破って侵入してきた場合、人感センサ１が不審者Ｂを感知すると制御部３は警報信号を発する。
【００２１】
以上の実施例では、制御部３を人感センサ１及びタグリーダ２と別個に設けたが、人感センサ１あるいはタグリーダ２に組み込んでも良い。
【産業上の利用可能性】
【００２２】
本発明は、住宅、ビル等、あらゆる物件のセキュリティシステムとして利用できる。
【図面の簡単な説明】
【００２３】
【図１】本発明のセキュリティシステムの第１実施例を示す説明図である。
【図２】本発明のセキュリティシステムの動作を示すフロー図である。
【図３】不審者の侵入状況を示す説明図である。
【図４】本発明のセキュリティシステムの第２実施例を示す説明図である。
【図５】不審者の屋内への侵入状況を示す説明図である。
【符号の説明】
【００２４】
１  人感センサ
２  タグリーダ
３  制御部
３ａ  ＩＤ番号登録部
４  通報部
５  ＩＣタグ
６  玄関ドア
７  窓
Ａ  住人
Ｂ  不審者
Ｃ  ペット
【図１】
2005284370.tif 000003
【図２】
2005284370.tif 000004
【図３】
2005284370.tif 000005
【図４】
2005284370.tif 000006
【図５】
2005284370.tif 000007